(57)【要約】【課題】包装箱内における被包装物の包装状態を必要最小限の部材をもって容易に安定できると共に、環境負荷少なく廃棄可能な梱包材の提供。【解決手段】被包装物Ｍを包装箱Ｂの一面Ｂａとの間で挟持する挟持材１と、この挟持材１の支持材２とからなる。挟持材１は、被包装物Ｍにライナ１ｂ側を接しさせる帯状をなす片面段ボール１’である。支持材２は、段ボール又は板紙２’の少なくとも左右二箇所に折りを施すことにより、この左右の折った箇所間に包装箱Ｂの一面Ｂａに対向する他面Ｂｂに間接的に当接される基部２０を形成すると共に、左右の折った箇所から先をそれぞれ基部２０から突き出して挟持材１を介して包装箱Ｂの一面Ｂａに突きだし端を突き当てさせる脚部２１とさせてなる。支持材２の左右の脚部２１の突きだし端２１ａがそれぞれ、挟持材１の中しん１ａの隣り合う段１ｃ間に入り込み掛合するようになっている。【選択図】図３
2013086858.tif 000002
【特許請求の範囲】
【請求項１】
被包装物と一緒に包装箱に納められてこの被包装物の包装状態を安定させる梱包材であって、
前記被包装物を包装箱の一面との間で挟持する挟持材と、この挟持材の支持材とからなり、
前記挟持材は、前記被包装物にライナ側を接しさせる帯状をなす片面段ボールであり、
前記支持材は、段ボール又は板紙の少なくとも左右二箇所に折りを施すことにより、この左右の折った箇所間に前記包装箱の一面に対向する他面に直接又は間接的に当接される基部を形成すると共に、左右の折った箇所から先をそれぞれ前記基部から突き出して前記挟持材を介して包装箱の一面に突きだし端を突き当てさせる脚部とさせてなり、
この支持材の左右の脚部の突きだし端がそれぞれ、前記挟持材の中しんの隣り合う段間に入り込み掛合するようになっていることを特徴とする梱包材。
【発明の詳細な説明】
【技術分野】
【０００１】
この発明は、被包装物と一緒に包装箱に納められてこの被包装物の包装状態を安定させる梱包材の改良に関する。
【背景技術】
【０００２】
包装箱に被包装物と一緒に納められる梱包材としては、一般に、発泡プラスチック製の詰め物や、気室を複数備えたプラスチック製のシートよりなる詰め物などが用いられている。こうした詰め物は、一般に、被包装物の全周において、被包装物と包装箱との間の隙間を埋めるように詰めることを余儀なくされている。
【発明の概要】
【発明が解決しようとする課題】
【０００３】
この発明が解決しようとする主たる問題点は、包装箱内における被包装物の包装状態を必要最小限の部材をもって容易に安定できると共に、環境負荷少なく廃棄可能な梱包材を提供する点にある。
【課題を解決するための手段】
【０００４】
前記課題を達成するために、この発明にあっては、梱包材を、被包装物と一緒に包装箱に納められてこの被包装物の包装状態を安定させる梱包材であって、
前記被包装物を包装箱の一面との間で挟持する挟持材と、この挟持材の支持材とからなり、
前記挟持材は、前記被包装物にライナ側を接しさせる帯状をなす片面段ボールであり、
前記支持材は、段ボール又は板紙の少なくとも左右二箇所に折りを施すことにより、この左右の折った箇所間に前記包装箱の一面に対向する他面に直接又は間接的に当接される基部を形成すると共に、左右の折った箇所から先をそれぞれ前記基部から突き出して前記挟持材を介して包装箱の一面に突きだし端を突き当てさせる脚部とさせてなり、
この支持材の左右の脚部の突きだし端がそれぞれ、前記挟持材の中しんの隣り合う段間に入り込み掛合するようになっているものとした。
【０００５】
支持材の左側の脚部の突きだし端と右側の脚部の突きだし端との間に挟持材が亙るようにすると共に、被包装物をこの左右の脚部間において挟持材と包装箱の一面との間で挟むようにする。この状態から、左右の脚部間にある挟持材の長さを減ずるように挟持材における脚部の外側に延びだす箇所を引っ張ると、前記掛合が解かれて前記一面に被包装物が押しつけられる位置までの挟持材の引き出しが許容される。挟持材のこの引き出しを止めると、前記掛合が再びなされる。支持材の基部は包装箱の一面に対向する他面に直接又は間接的に当接されることから、挟持材と包装箱の一面との間で被包装物を挟持した状態は維持され、被包装物はがたつきなく包装箱内に納められる。
【発明の効果】
【０００６】
この発明にかかる梱包材は、共に紙製の挟持材と支持材とにより、過大な詰め物などを要することなく、包装箱内における被包装物の包装状態を容易に安定でき、加えて環境負荷少なく廃棄可能な特長を有する。
【図面の簡単な説明】
【０００７】
【図１】図１は実施の形態にかかる梱包材を上面開口の包装箱に収めるときの様子を示した斜視図である。
【図２】図２は図１の包装箱への梱包材の収納状態を示した断面図であり、挟持材の引き出し操作前の状態を示している。
【図３】図３は図１の包装箱への梱包材の収納状態を示した断面図であり、挟持材の引き出し操作後の状態を示している。
【図４】図４は実施の形態にかかる梱包材を側面開口の包装箱に収めるときの様子を示した斜視図である。
【図５】図５は図４の包装箱への梱包材の収納状態を示した断面図であり、挟持材の引き出し操作前の状態を示している。
【図６】図６は図４の包装箱への梱包材の収納状態を示した断面図であり、挟持材の引き出し操作後の状態を示している。
【発明を実施するための形態】
【０００８】
以下、図１〜図６に基づいて、この発明の典型的な実施の形態について、説明する。この実施の形態にかかる梱包材Ｒは、被包装物Ｍと一緒に包装箱Ｂに納められてこの被包装物Ｍの包装状態を安定させるものである。
【０００９】
かかる梱包材Ｒは、前記被包装物Ｍを包装箱Ｂの一面Ｂａとの間で挟持する挟持材１と、その支持材２とから構成される。
【００１０】
挟持材１は、前記被包装物Ｍにライナ１ｂ側を接しさせる帯状をなす片面段ボール１’となっている。図１〜図３に示される例では、包装箱Ｂは、フラップＢｃにより閉塞される上面開口Ｂｄを備えた六面体として構成されている。また、図４〜図６に示される例では、包装箱Ｂは、フラップＢｃにより閉塞される側面開口Ｂｅを備えた六面体として構成されている。いずれの例においても、包装箱Ｂの上面Ｂｆと底面Ｂｇは側面より幅広となっており、底面Ｂｇが包装箱Ｂの前記一面Ｂａとなっている。挟持材１は、波形に成形した紙（中しん１ａ）の一面に板紙（ライナ１ｂ）を張って構成されている。したがって、挟持材１は前記中しん１ａの波形の山、すなわち段１ｃと、隣り合うこの段１ｃ、１ｃ間に形成された溝１ｄを有する。挟持材１は、かかる溝１ｄをその幅方向に沿って備えている。また、図示の例では、挟持材１は、包装箱Ｂの向かい合う側面間に隙間少なく納まる幅とを持つように構成されている。図示の例では、包装箱Ｂは、前記上面Ｂｆ及び底面Ｂｇを長方形状としており、挟持材１の幅はこの上面Ｂｆ及び底面Ｂｇの幅と略等しく、一方、挟持材１の長さはこの上面Ｂｆ及び底面Ｂｇの長さより長くなっている。
【００１１】
支持材２は、段ボール又は板紙２’の少なくとも左右二箇所に折りを施すことにより、この左右の折った箇所間に前記包装箱Ｂの一面Ｂａに対向する他面Ｂｂに直接又は間接的に当接される基部２０を形成すると共に、左右の折った箇所から先をそれぞれ前記基部２０から突き出して前記挟持材１を介して包装箱Ｂの一面Ｂａに突きだし端２１ａを突き当てさせる脚部２１とさせてなる。
【００１２】
図示の例では、支持材２の基部２０は、前記包装箱Ｂの上面Ｂｆと略等しい外郭形状と大きさとを備えている。脚部２１は、基部２０と同じ幅を備えると共に、この基部２０の幅方向に沿った側縁部２０ｂにその上縁部を一体に連接させてなる。すなわち、前記折りは、この連接箇所において施されている。図示の例では、基部２０の左右両側にそれぞれ、この基部２０から上方に突き出す突片２２が形成されている。かかる突片２２は、基部２０の幅方向中程の位置において、前記折りを施す折り線２３との間で前記突片２２を構成させる切線２４を施すことで、形成されている。すなわち、かかる切線２４により、前記折り線２３により折りを施すと、脚部２１の突きだし方向と反対の方向に基部２０の一部が前記突片２２として突き出すようになっている。この突片２２は挟持材１の前記溝１ｄに入り込む厚さを持つようになっている。また、図１〜図３に示される例では、支持材２の基部２０の長さ方向に沿った側縁部２０ａにも、この側縁部２０ａを折り目として基部２０に連なる前記段ボール又は板紙２’の一部を下方に折ることにより形成された補強板部２５が連接されている。この補強板部２５の基部２０からの突きだし寸法は脚部２１より小さい。
【００１３】
支持材２の脚部２１の突きだし端２１ａと基部２０の突片２２の突きだし端との間の寸法は、包装箱Ｂの前記一面Ｂａ（図示の例では、底面Ｂｇ）とこの一面Ｂａに向き合う他面Ｂｂ（図示の例では、上面Ｂｆ）との間の距離から、挟持材１の厚さを引いた寸法と、略等しくなっている。
【００１４】
そして、この実施の形態にあっては、前記支持材２の左右の脚部２１、２１の突きだし端２１ａがそれぞれ、前記挟持材１の中しん１ａの隣り合う段１ｃ、１ｃ間の溝１ｄに入り込み掛合するようになっている。
【００１５】
支持材２の左側の脚部２１の突きだし端２１ａと右側の脚部２１の突きだし端２１ａとの間に挟持材１が亙るようにすると共に、被包装物Ｍをこの左右の脚部２１、２１間において挟持材１と包装箱Ｂの一面Ｂａとの間で挟むようにする。（図２、図５）この状態から、左右の脚部２１間にある挟持材１の長さを減ずるように挟持材１における脚部２１の外側に延びだす箇所を引っ張ると、前記掛合が解かれて前記一面Ｂａに被包装物Ｍが押しつけられる位置までの挟持材１の引き出しが許容される。挟持材１のこの引き出しを止めると、前記掛合が再びなされる。（図３、図６）支持材２の基部２０は包装箱Ｂの一面Ｂａに対向する他面Ｂｂに直接又は間接的に当接されることから、挟持材１と包装箱Ｂの一面Ｂａとの間で被包装物Ｍを挟持した状態は維持され、被包装物Ｍはがたつきなく包装箱Ｂ内に納められる。
【００１６】
図１〜図３に示される例では、包装箱Ｂの上面開口Ｂｄから被包装物Ｍを包装箱Ｂ内に納めた後、挟持材１の中間部１ｄがこの被包装物Ｍを覆い且つ両端部１ｅ、１ｅがそれぞれ包装箱Ｂの上面開口Ｂｄから外方に引き出されるように、包装箱Ｂ内に挟持材１の中間部を納め続いて支持材２を納め、（図２）次いでこの支持材２の基部２０を押さえつけながら挟持材１の端部１ｅを前記のように引き出すことで、挟持材１と包装箱Ｂの一面Ｂａとの間での被包装物Ｍの挟持がなされるようになっている。（図３）この後、引き出された挟持材１の端部１ｅを突片２２との当接位置を中心に支持材２の基部２０上に折り込み、包装箱Ｂの上面開口ＢｄをフラップＢｃにより閉塞すると、支持材２の基部２０は包装箱Ｂの他面Ｂｂ（この例ではフラップＢｃの面）に折り込まれた挟持材１を介して間接的に当接されて、挟持材１と包装箱Ｂの一面Ｂａとの間で被包装物Ｍを挟持した状態が維持されるようになっている。
【００１７】
一方、図４〜図６に示される例では、挟持材１の左側を支持材２の基部２０上から左側の脚部２１の外側を通じてこの左側の脚部２１の突きだし端２１ａ下に位置させた状態でこの支持材２を包装箱Ｂ内に納め、この支持材２の基部２０下に位置される挟持材１の中間部下に包装箱Ｂの側面開口Ｂｅを通じて被包装物Ｍを包装箱Ｂ内に納めた後、（図５）支持材２の右側の脚部２１の突きだし端２１ａを挟持材１を介して包装箱Ｂの一面Ｂａに突き当てさせ、（図６）次いで支持材２の右側の脚部２１を押さえつけながらこの挟持材１の右側の端部１ｅを前記のように引き出すことで、挟持材１と包装箱Ｂの一面Ｂａとの間での被包装物Ｍの挟持がなされるようになっている。（図６）この後、引き出された挟持材１の右側の端部１ｅを突片２２との当接位置を中心に支持材２の基部２０上に折り込み、包装箱Ｂの側面開口ＢｅをフラップＢｃにより閉塞すると、支持材２の基部２０は包装箱Ｂの他面Ｂｂに折り込まれた挟持材１を介して間接的に当接されて、挟持材１と包装箱Ｂの一面Ｂａとの間で被包装物Ｍを挟持した状態が維持されるようになっている。
【００１８】
この実施の形態にあっては、前記支持材２及び挟持材１はいずれも紙製とされ、環境負荷少なく廃棄できる特長を有している。
【符号の説明】
【００１９】
Ｂ  包装箱
Ｂａ  一面
Ｍ  被包装物
１  挟持材
１’  片面段ボール
１ａ  中しん
１ｂ  ライナ
１ｃ  段
２  支持材
２’  段ボール又は板紙
２０  基部
２１  脚部
【図１】
2013086858.tif 000003
【図２】
2013086858.tif 000004
【図３】
2013086858.tif 000005
【図４】
2013086858.tif 000006
【図５】
2013086858.tif 000007
【図６】
2013086858.tif 000008